(57)【特許請求の範囲】
【請求項１】
ネットワークを介して接続された１以上の空調機を制御するための利用者用制御端末であって、
前記ネットワークを介して入力される入力情報により表される前記空調機の周辺状態に関する情報と、該空調機の動作を示す情報とを空調情報として記憶する空調情報メモリと、
前記空調機の制御内容を示す前記空調機の動作を示す情報であって、前記ネットワークを介して前記空調機に出力される出力情報を決定する際の判断基準となる自動制御ルールを記憶する自動制御ルールメモリと、
前記空調情報を変更する操作を受け付ける空調機操作手段と、
前記空調情報と前記自動制御ルールとに基づき前記空調機の制御内容を決定し、前記空調情報メモリに記憶された前記空調情報の該当箇所の内容を前記決定した制御内容に変更する空調機自動制御手段と、
前記入力情報を受信し前記空調情報メモリの内容を更新し、前記空調機操作手段の操作に従って前記空調情報メモリの内容を変更し、前記空調情報の前記更新及び前記変更に対応して前記空調機自動制御手段が決定した前記空調機に対する制御内容を示す出力情報を、制御信号として前記ネットワークを介して前記空調機に送信するシステム通信手段と、
前記自動制御ルールメモリの内容を変更するために利用されるルール調整画面の生成用の情報である調整画面情報を記憶するルール調整画面メモリと、
前記自動制御ルールメモリの内容に基づき前記調整画面情報を生成し、前記ルール調整画面メモリに格納するルール調整画面生成手段と、
前記調整画面情報に基づき前記ルール調整画面を生成して、表示器に表示し、表示された前記ルール調整画面上で前記自動制御ルールメモリの内容を調整する操作を受け付けるルール調整操作手段と、
を備え、
前記自動制御ルールメモリは、入力判定式と出力設定式と入出力接続式とを記憶し、
前記入力判定式は、入力判定値と当該入力判定値に対する前記入力情報の関係を定義する演算子とを有し、前記入力情報が、前記入力判定式を満たすかどうかを判定するための式であり、
前記出力設定式は、出力設定値を有し、当該出力設定値に基づき前記出力情報を設定するための式であり、
前記入出力接続式は、1つ以上の前記入力判定式と、1つ以上の前記出力設定式との間の関係を定義する式であり、
前記空調機自動制御手段は、前記入力情報が前記入力判定式を満たす場合、前記入出力接続式により接続される前記出力設定式に基づいて、前記空調情報を更新し、
前記ルール調整画面生成手段は、
前記空調情報における前記入力情報及び前記出力情報の属性を定義した属性定義情報と、
前記属性毎、または、前記属性と前記演算子との組み合わせ毎に、アイコンを定義したアイコン定義情報と、を有し、
前記属性定義情報と前記アイコン定義情報とに基づき、前記入力判定式に対応するアイコンと、前記出力設定式に対応するアイコンと、を決定し、これらのアイコンを用いて、前記入力判定値及び前記出力設定値を調整するルール調整画面生成用の調整画面情報を生成し、前記ルール調整画面メモリに格納する、
ことを特徴とする利用者用制御端末。
【請求項２】
前記ルール調整画面生成手段は、前記入力判定値及び前記出力設定値の調整の許可または禁止を定義した制御値調整許可情報を有し、
前記調整画面情報は、前記制御値調整許可情報を有し、
前記ルール調整画面は、前記制御値調整許可情報に基づき、調整を許可された前記入力判定値及び前記出力設定値のアイコンを操作可能とし、調整を禁止された前記入力判定値及び前記出力設定値のアイコンを操作不能とする画面である、
ことを特徴とする請求項１に記載の利用者用制御端末。
【請求項３】
前記自動制御ルールメモリは、前記入出力接続式により接続される前記入力判定式及び前記出力設定式毎に有効または無効を定義する入出力実行情報を記憶し、
前記空調機自動制御手段は、前記入出力実行情報に基づいて前記空調情報を更新し、
前記調整画面情報は、前記入出力実行情報を有し、
前記ルール調整画面は、前記入出力実行情報を調整する実行調整アイコンを含む画面である、
ことを特徴とする請求項１又は２に記載の利用者用制御端末。
【請求項４】
前記ルール調整画面生成手段は、
前記入出力実行情報の調整の許可または禁止を定義した実行調整許可情報を有し、
前記調整画面情報は、前記実行調整許可情報を有し、
前記ルール調整画面は、前記実行調整許可情報に基づき、調整を許可された前記実行調整アイコンを操作可能とし、調整を禁止された前記実行調整アイコンを操作不能とした画面である、
ことを特徴とする請求項３に記載の利用者用制御端末。
【請求項５】
前記ルール調整画面生成手段に前記実行調整許可情報および前記制御値調整許可情報のいずれかまたは両方を入力する調整許可情報入力手段をさらに備える、
ことを特徴とする請求項２又は４に記載の利用者用制御端末。
【請求項６】
前記ネットワークは、前記空調機の外部機器がさらに接続されるネットワークであって、
前記空調情報メモリは、前記外部機器の状態をさらに記憶し、
前記システム通信手段は、前記外部機器から制御信号を受信し、前記空調情報メモリの内容を更新するとともに、前記空調情報メモリの前記更新に基づき、前記空調機に対する制御信号を前記ネットワークに送信する外部機器通信手段をさらに備える、
ことを特徴とする請求項１乃至５のいずれか１項に記載の利用者用制御端末。
【請求項７】
前記入力判定式と前記出力設定式と前記入出力接続式とは、前記外部機器を対象とした入力情報、出力情報に対しても適用されるとともに、
前記空調情報メモリに記憶された前記外部機器からの制御信号、及び前記外部機器に対する制御信号から抽出した情報に対し属性を定義した外部機器属性定義情報を前記属性定義情報に追加する属性追加手段と、
前記外部機器属性定義情報で定義された属性毎、または、前記外部機器属性定義情報で定義された属性と前記外部機器の入力情報に対応する前記入力判定式に含まれる前記演算子との組み合わせ毎に、アイコンを定義した外部機器アイコン定義情報を前記アイコン定義情報に追加するアイコン追加手段と、
をさらに備えることを特徴とする請求項６に記載の利用者用制御端末。
【請求項８】
前記外部機器からの制御信号は、前記空調機を補助する機能を有する外部機器である設備機器からの制御信号を含み、
前記外部機器通信手段は、前記空調情報メモリの更新に基づき前記ネットワークに前記設備機器に対する制御信号を送信する、
ことを特徴とする請求項６又は７に記載の利用者用制御端末。
【請求項９】
空調機と、
請求項１乃至８のいずれか１項に記載の利用者用制御端末と、
を備えることを特徴とする空気調和システム。
【請求項１０】
空調機と、
前記空調機を補助する機能を有する外部機器である設備機器と、
請求項８に記載の利用者用制御端末と、
を備えることを特徴とする設備機器システム。
【請求項１１】
ネットワークを介して接続された１以上の空調機を制御するための空気調和機制御方法であって、
前記ネットワークを介して入力される前記空調機の周辺状態を示す入力情報と、該空調機の動作を示す情報とを受信し空調情報として空調情報メモリに記憶する空調情報受信ステップと、
前記空調情報メモリの内容、及び自動制御ルールを記憶する自動制御ルールメモリの内容に基づき前記空調機の動作を示す情報である制御内容を決定し、前記空調情報メモリの該当箇所に出力情報として前記決定した制御内容を記憶する制御内容決定ステップと、
前記空調情報メモリに記憶された前記出力情報を、前記空調機に対する制御信号として前記ネットワークを介して送信する制御信号送信ステップと、
前記自動制御ルールの調整のつど、次の前記自動制御ルールの調整用に、表示器に表示するルール調整画面を生成するための情報である調整画面情報を生成し、記憶するルール調整画面生成ステップと、
前記自動制御ルールの調整時に、前記調整画面情報に基づき前記ルール調整画面を生成し、前記表示器に表示するルール調整画面表示ステップと、
表示された前記ルール調整画面上での操作により、ルール調整内容の入力を行うルール調整操作ステップと、
前記ルール調整操作ステップにより入力された前記ルール調整内容に従って、前記自動制御ルールメモリの内容を更新する調整ルール更新ステップと、
を備え、
前記自動制御ルールメモリは、入力判定式と出力設定式と入出力接続式とを記憶し、
前記入力判定式は、入力判定値と当該入力判定値に対する前記入力情報の関係を定義する演算子とを有し、前記入力情報が、前記入力判定式を満たすかどうかを判定するための式であり、
前記出力設定式は、出力設定値を有し、当該出力設定値に基づき前記出力情報を設定するための式であり、
前記入出力接続式は、1つ以上の前記入力判定式と、1つ以上の前記出力設定式との間に関係があるときに、接続するとして、その関係を定義する式であり、
前記制御内容決定ステップでは、前記入力情報が前記入力判定式を満たす場合、前記入出力接続式により接続される前記出力設定式に基づいて、前記空調情報を更新し、
前記ルール調整画面生成ステップでは、
前記空調情報における前記入力情報及び前記出力情報の属性を定義した、記憶された属性定義情報と、前記属性毎、または、前記属性と前記演算子との組み合わせ毎に、アイコンを定義した、記憶されたアイコン定義情報とに基づき、前記入力判定式に対応するアイコンと、前記出力設定式に対応するアイコンと、を決定し、これらのアイコンを用いて、前記入力判定値及び前記出力設定値を調整するルール調整画面生成用の調整画面情報を生成し、ルール調整画面メモリに格納する、
ことを特徴とする空気調和機制御方法。
【請求項１２】
前記ルール調整画面生成ステップでは、前記入力判定値及び前記出力設定値の調整の許可または禁止を定義した、保有する制御値調整許可情報を利用して、前記調整画面情報を生成し、
前記ルール調整画面は、前記制御値調整許可情報に基づき、調整を許可された前記入力判定値及び前記出力設定値のアイコンを操作可能とし、調整を禁止された前記入力判定値及び前記出力設定値のアイコンを操作不能とする画面である、
ことを特徴とする請求項１１に記載の空気調和機制御方法。
【請求項１３】
前記自動制御ルールメモリは、前記入出力接続式により接続される前記入力判定式及び前記出力設定式毎に有効または無効を定義する入出力実行情報を記憶し、
前記制御内容決定ステップでは、前記入出力実行情報に基づいて前記空調情報を更新し、
前記調整画面情報は、前記入出力実行情報を有し、
前記ルール調整画面は、前記入出力実行情報を調整する実行調整アイコンを含む画面である、
ことを特徴とする請求項１１又は１２に記載の空気調和機制御方法。
【請求項１４】
前記ルール調整画面生成ステップでは、
保有する、前記入出力実行情報の調整の許可または禁止を定義した実行調整許可情報を利用して、前記調整画面情報を生成し、
前記ルール調整画面は、前記実行調整許可情報に基づき、調整を許可された前記実行調整アイコンを操作可能とし、調整を禁止された前記実行調整アイコンを操作不能とした画面である、
ことを特徴とする請求項１３に記載の空気調和機制御方法。
【請求項１５】
ネットワークを介して接続された１以上の空調機を制御するための空気調和機制御プログラムであって、
前記ネットワークを介して入力される前記空調機の周辺状態を示す入力情報と、該空調機の動作を示す情報とを受信し空調情報として空調情報メモリに記憶する空調情報受信ステップと、
前記空調情報メモリの内容、及び自動制御ルールを記憶する自動制御ルールメモリの内容に基づき前記空調機の動作を示す情報である制御内容を決定し、前記空調情報メモリの該当箇所に出力情報として前記決定した制御内容を記憶する制御内容決定ステップと、
前記空調情報メモリに記憶された前記出力情報を、前記空調機に対する制御信号として前記ネットワークを介して送信する制御信号送信ステップと、
前記自動制御ルールの調整のつど、次の前記自動制御ルールの調整用に、表示器に表示するルール調整画面を生成するための情報である調整画面情報を生成し、記憶するルール調整画面生成ステップと、
前記自動制御ルールの調整時に、前記調整画面情報に基づき前記ルール調整画面を生成し、前記表示器に表示するルール調整画面表示ステップと、
表示された前記ルール調整画面上での操作により、ルール調整内容の入力を行うルール調整操作ステップと、
前記ルール調整操作ステップにより入力された前記ルール調整内容に従って、前記自動制御ルールメモリの内容を更新する調整ルール更新ステップと、
をコンピュータに実行させるとともに、
前記自動制御ルールメモリは、入力判定式と出力設定式と入出力接続式とを記憶し、
前記入力判定式は、入力判定値と当該入力判定値に対する前記入力情報の関係を定義する演算子とを有し、前記入力情報が、前記入力判定式を満たすかどうかを判定するための式であり、
前記出力設定式は、出力設定値を有し、当該出力設定値に基づき前記出力情報を設定するための式であり、
前記入出力接続式は、1つ以上の前記入力判定式と、1つ以上の前記出力設定式との間に関係があるときに、接続するとして、その関係を定義する式であり、
前記制御内容決定ステップでは、前記入力情報が前記入力判定式を満たす場合、前記入出力接続式により接続される前記出力設定式に基づいて、前記空調情報を更新し、
前記ルール調整画面生成ステップでは、
前記空調情報における前記入力情報及び前記出力情報の属性を定義した、記憶された属性定義情報と、前記属性毎、または、前記属性と前記演算子との組み合わせ毎に、アイコンを定義した、記憶されたアイコン定義情報とに基づき、前記入力判定式に対応するアイコンと、前記出力設定式に対応するアイコンと、を決定し、これらのアイコンを用いて、前記入力判定値及び前記出力設定値を調整するルール調整画面生成用の調整画面情報を生成し、ルール調整画面メモリに格納する、
ことをコンピュータに実行させることを特徴とする空気調和機制御プログラム。
【請求項１６】
前記ルール調整画面生成ステップでは、前記入力判定値及び前記出力設定値の調整の許可または禁止を定義した、保有する制御値調整許可情報を利用して、前記調整画面情報を生成し、
前記ルール調整画面は、前記制御値調整許可情報に基づき、調整を許可された前記入力判定値及び前記出力設定値のアイコンを操作可能とし、調整を禁止された前記入力判定値及び前記出力設定値のアイコンを操作不能とする画面である、
ことを特徴とする請求項１５に記載の空気調和機制御プログラム。
【請求項１７】
前記自動制御ルールメモリは、前記入出力接続式により接続される前記入力判定式及び前記出力設定式毎に有効または無効を定義する入出力実行情報を記憶し、
前記制御内容決定ステップでは、前記入出力実行情報に基づいて前記空調情報を更新し、
前記調整画面情報は、前記入出力実行情報を有し、
前記ルール調整画面は、前記入出力実行情報を調整する実行調整アイコンを含む画面である、
ことを特徴とする請求項１５又は１６に記載の空気調和機制御プログラム。
【請求項１８】
前記ルール調整画面生成ステップでは、
保有する、前記入出力実行情報の調整の許可または禁止を定義した実行調整許可情報を利用して、前記調整画面情報を生成し、
前記ルール調整画面は、前記実行調整許可情報に基づき、調整を許可された前記実行調整アイコンを操作可能とし、調整を禁止された前記実行調整アイコンを操作不能とした画面である、
ことを特徴とする請求項１７に記載の空気調和機制御プログラム。
【発明の詳細な説明】
【技術分野】
【０００１】
本発明は、複数の空調機がネットワークにより通信接続されている空気調和システムにおいて空調機を制御する、利用者用制御端末、空気調和システム、設備機器システム、空気調和機制御方法、及び空気調和機制御プログラムに関するものである。
【背景技術】
【０００２】
店舗やオフィスビルなどの建物内において、複数の空調機をイーサネット（登録商標）などのネットワークを介して制御装置に通信接続した、空気調和システムが提案されている（例えば、特許文献１参照）。こうした制御装置は通常、内蔵メモリに格納されている制御プログラムによって空調機を制御する。【０００３】
一方、空調機の多様な設置環境に個別具体的に対応するために、制御プログラムを作業者（主として建物の管理者や現地サービスエンジニアを意味する）が新たに定義できるようにした制御装置も提案されている（例えば、特許文献２参照）。
【先行技術文献】
【特許文献】
【０００４】
【特許文献１】特開２００４−３８５２号公報
【特許文献２】特開２００８−３２２８８号公報
【発明の概要】
【発明が解決しようとする課題】
【０００５】
しかしながら、特許文献２に記載の制御装置では、作業者が新たに定義した制御プログラムの制御内容を、居住者（主として建物の従業員や利用者を意味する）が、自らの好みや、日々の環境条件の変化に合わせて調整することができない。【０００６】
本発明は、上述の実情に鑑みてなされたものであり、居住者（利用者）が制御プログラムの制御内容を変更することが可能な利用者用制御端末、空気調和システム、設備機器システム、空気調和機制御方法、及び空気調和機制御プログラムを提供することを目的とする。
【課題を解決するための手段】
【０００７】
本発明に係る利用者用制御端末は、ネットワークを介して接続された１以上の空調機を制御するための利用者用制御端末であって、空調情報メモリと、自動制御ルールメモリと、空調機操作手段と、空調機自動制御手段と、システム通信手段と、ルール調整画面メモリと、ルール調整画面生成手段と、ルール調整操作手段とを備える。空調情報メモリは、ネットワークを介して入力される入力情報により表される空調機の周辺状態に関する情報と、空調機の動作を示す情報とを空調情報として記憶する。自動制御ルールメモリは、空調機の制御内容を示す空調機の動作を示す情報であって、ネットワークを介して空調機に出力される出力情報を決定する際の判断基準となる自動制御ルールを記憶する。空調機操作手段は、空調情報を変更する操作を受け付ける。空調機自動制御手段は、空調情報と自動制御ルールとに基づき空調機の制御内容を決定し、空調情報メモリに記憶された空調情報の該当箇所の内容を決定した制御内容に変更する。システム通信手段は、入力情報を受信し空調情報メモリの内容を更新し、空調機操作手段の操作に従って空調情報メモリの内容を変更し、空調情報の更新及び変更に対応して空調機自動制御手段が決定した空調機に対する制御内容を示す出力情報を、制御信号としてネットワークを介して空調機に送信する。ルール調整画面メモリは、自動制御ルールメモリの内容を変更するために利用されるルール調整画面の生成用の情報である調整画面情報を記憶する。ルール調整画面生成手段は、自動制御ルールメモリの内容に基づき調整画面情報を生成し、ルール調整画面メモリに格納する。ルール調整操作手段は、調整画面情報に基づきルール調整画面を生成して、表示器に表示し、表示されたルール調整画面上で自動制御ルールメモリの内容を調整する操作を受け付ける。自動制御ルールメモリは、入力判定式と出力設定式と入出力接続式とを記憶する。入力判定式は、入力判定値と当該入力判定値に対する入力情報の関係を定義する演算子とを有し、入力情報が、入力判定式を満たすかどうかを判定するための式である。出力設定式は、出力設定値を有し、当該出力設定値に基づき出力情報を設定するための式である。入出力接続式は、1つ以上の入力判定式と、1つ以上の出力設定式との間の関係を定義する式である。空調機自動制御手段は、入力情報が入力判定式を満たす場合、入出力接続式により接続される出力設定式に基づいて、空調情報を更新する。ルール調整画面生成手段は、空調情報における入力情報及び出力情報の属性を定義した属性定義情報と、属性毎、または、属性と演算子との組み合わせ毎に、アイコンを定義したアイコン定義情報と、を有し、属性定義情報とアイコン定義情報とに基づき、入力判定式に対応するアイコンと、出力設定式に対応するアイコンと、を決定し、これらのアイコンを用いて、入力判定値及び出力設定値を調整するルール調整画面生成用の調整画面情報を生成し、ルール調整画面メモリに格納する。
【発明の効果】
【０００８】
本発明に係る利用者用制御端末、空気調和システム、設備機器システム、空気調和機制御方法、及び空気調和機制御プログラムによれば、作業者が定義した制御内容を居住者（利用者）が容易に変更（以下、調整ともいう）できるため、居住者の好みや日々の環境条件の変化に合わせた空調機制御を実現することができる。
【図面の簡単な説明】
【０００９】
【図１】本発明の実施の形態１に係る空気調和機制御装置の構成及びその周辺構成の例を示すブロック図である。
【図２】実施の形態１に係る空調情報の例を示す図である。
【図３】実施の形態１に係る入力判定式の例を示す図である。
【図４】実施の形態１に係る出力設定式の例を示す図である。
【図５】実施の形態１に係る入出力接続式の例を示す図である。
【図６】実施の形態１に係る入出力実行情報の例を示す図である。
【図７】実施の形態１に係る属性定義情報の例を示す図である。
【図８】実施の形態１に係るアイコン定義情報の例を示す図である。
【図９】実施の形態１に係るアイコン定義情報で定義されるアイコンの例を示す図である。
【図１０】実施の形態１に係る制御値調整許可情報の例を示す図である。
【図１１】実施の形態１に係る実行調整許可情報の例を示す図である。
【図１２】実施の形態１に係る調整画面情報の例を示す図である。
【図１３】実施の形態１に係る空調機自動制御処理の詳細を示すフローチャートである。
【図１４】実施の形態１に係る調整画面生成処理の詳細を示すフローチャートである。
【図１５】実施の形態１に係る調整画面表示処理の詳細を示すフローチャートである。
【図１６】実施の形態１に係る制御ルール調整処理の詳細を示すフローチャートである。
【図１７】実施の形態１に係るルール調整操作手段が表示するルール調整画面の例を示す図である。
【図１８】本発明の実施の形態２に係る空気調和機制御装置の構成及びその周辺構成の例を示すブロック図である。
【発明を実施するための形態】
【００１０】
実施の形態１．
（空気調和機制御装置１０の構成）
図１は、本発明の実施の形態１に係る空気調和機制御装置１０の構成及びその周辺構成の例を示すブロック図である。
【００１１】
図１に示されるように、空気調和機制御装置１０は、リモコン装置３０と、端末装置５０と、から構成される。リモコン装置３０は、空調システムのネットワーク２０に接続される。ネットワーク２０には、空気調和機（空調機と略す）４０が１個以上接続されている。ネットワーク２０は、有線であっても無線であってもよい。空調機４０と空気調和機制御装置１０とを合わせて空気調和システム（略して空調システム）と言う。空調システムにはネットワーク２０を含めてもよい。
【００１２】
リモコン装置３０は、居住者（主として建物内に事務所等を構える企業の従業員や建物内に居住する者を意味する）が空調機４０の各種設定を変更するための操作に使用する装置である。リモコン装置３０は、各空調機４０に対応したものであってもよいし、フロア毎など複数の空調機４０を集中して管理する集中リモコン装置であってもよい。
【００１３】
端末装置５０は、リモコン装置３０に接続してリモコン装置３０の設定を変更するためのＰＣ（Personal Computer）などの機器である。端末装置５０は、作業者（主として建物の管理者や現地サービスエンジニアを意味する）による操作を前提としており、作業者の操作内容をリモコン装置３０に送出できる装置である。
【００１４】
まず、空気調和機制御装置１０の動作の概要について説明する。
【００１５】
居住者は、リモコン装置３０を操作することで、空調機４０の運転内容を設定することができる。例えば、空調機４０の電源のオン・オフ、運転モード（冷房、暖房など）の切り換え、設定温度の変更、設定湿度の変更、風量の変更などの操作が可能である。
【００１６】
また、リモコン装置３０は、リモコン装置３０に予め記憶される自動制御ルールに基づいて、空調機４０の運転内容を自動制御することができる。リモコン装置３０は、ネットワーク２０を介して空調機４０の状態を取得する。ここでいう状態とは、空調機４０の運転内容や、空調機４０が備える温度センサ、湿度センサが取得した温度情報や湿度情報などである。なお、リモコン装置３０が空調機４０と同じ場所に設置される場合には、温度センサや湿度センサはリモコン装置３０が備えるようにしてもよい。
【００１７】
リモコン装置３０は、取得した空調機４０の状態を、自動制御ルールと比較する。空調機４０の状態が自動制御ルールと合致した場合には、空調機４０の自動制御を行う。例えば、 “取得した温度情報が所定の温度以上である”という自動制御ルールのときに、温度センサが取得した温度情報が所定の温度以上であった場合、自動制御ルールに合致している場合の空調機４０の制御としてあらかじめ定めている空調機の制御内容、例えば空調機４０の運転モードを冷房として、電源をオンにするなどの自動制御を行う。
【００１８】
居住者は、リモコン装置３０を操作することによって、自動制御ルールを変更（以下では、調整と言う）することもできる。また、リモコン装置３０は、この自動制御ルールの調整を許可するか否かの情報を予め記憶する。リモコン装置３０は、自動制御ルールの調整を行う操作（調整操作）を検出すると、自動制御ルールの調整を許可するか否かの情報を参照し、この調整が許可されている場合は、居住者が自動制御ルールの調整を行う場合の操作用画面としてルール調整画面を生成して、リモコン装置３０が備える表示器に表示する。居住者は、この表示されたルール調整画面上での操作（例えば、タッチパネルによる操作）によって、自動制御ルールの調整を行うことができる。自動制御ルールが調整された場合、リモコン装置３０は調整後の自動制御ルールに従って、空調機４０の自動制御を行う。
【００１９】
なお、リモコン装置３０に記憶される自動制御ルールやこの自動制御ルールの調整を許可するか否かの情報は、作業者が端末装置５０をリモコン装置３０に接続し、この端末装置５０を介してリモコン装置３０内にあらかじめ設定しておく。居住者は、作業者が許可した範囲内で自動制御ルールを調整することができる。
【００２０】
以下、空気調和機制御装置１０の詳細について説明する。
【００２１】
リモコン装置３０は、図１に示すように、機能的には、空調情報メモリ１０１と、システム通信手段１０２と、空調機操作手段１０３と、空調機自動制御手段１０４と、自動制御ルールメモリ１０５と、ルール調整画面メモリ１０６と、ルール調整画面生成手段１０７と、ルール調整操作手段１０８と、から構成される。
【００２２】
リモコン装置３０は、物理的には、ＣＰＵ（Central Processing Unit）、動作プログラムを記憶するＲＯＭ（Read Only Memory）、動作時の一時的な記憶領域となるＲＡＭ（Random Access Memory）、居住者が操作するためのユーザインターフェース、ネットワーク２０や端末装置５０に接続するための通信インターフェース等から構成される。
【００２３】
なお、リモコン装置３０のみで本発明の空気調和機制御装置１０を構成することもできる。
【００２４】
端末装置５０は、機能的には、制御ルール入力手段１０９と、調整許可情報入力手段１１０と、から構成される。制御ルール入力手段１０９及び調整許可情報入力手段１１０は、ともに空調機４０を制御するための情報を作業者が入力するためのインターフェースである。制御ルール入力手段１０９及び調整許可情報入力手段１１０は、入力された内容に対応する制御信号をリモコン装置３０に送信する。
【００２５】
制御ルール入力手段１０９は、リモコン装置３０の自動制御ルールメモリ１０５に、空調機４０の運転を自動的に制御するルールを入力するためのインターフェースである。調整許可情報入力手段１１０は、自動制御ルールメモリ１０５に記憶された空調機４０の運転を自動的に制御するためのルールを、ルール調整操作手段１０８により調整することに対して、許可または禁止を定義した情報を入力するためのインターフェースである。居住者は、調整許可情報入力手段１１０により調整許可の設定がなされた自動制御のルールのみを、ルール調整操作手段１０８により、調整することができる。
【００２６】
図２は実施の形態１に係る空調情報の例を示す図である。空調情報メモリ１０１は、空調機４０の状態（空調機近傍の温度、湿度、設定される運転内容など）を図２に示す空調情報１０１１の形で、各空調機４０毎に記憶する。空調情報１０１１は、空調機４０を制御するための情報であり、該情報を識別するための空調情報番号と、空調情報メモリ１０１での格納位置を表すアドレスと、データのサイズと、該空調機４０の状態を示す各値と、からなる。
【００２７】
図２において、空調情報番号“１”のデータは、空調機４０の周囲の温度（この例では２７℃）を示す。空調情報番号“２”のデータは、空調機４０の周囲の湿度（この例では８０％）を示す。空調情報番号“３”のデータは、空調機４０に設定されている運転モード（この例では、値０に対応する“運転停止”モード）を示す。空調情報番号“４”のデータは、空調機４０に設定されている風量（この例では、値２に対応する風量“強”）を示す。図２の例では、空調情報番号“１”と“２”のデータが空調機４０の周辺情報であり、リモコン装置３０に入力される入力情報である。一方、空調情報番号“３”と“４”のデータは、入力情報にもなりうるし、空調機４０の動作を制御するためにリモコン装置３０から空調機４０に出力される出力情報でもありうる。いずれにしても空調機４０の動作を示す情報となる。
【００２８】
なお、図２は空調情報１０１１の例を示すものであり、空調情報１０１１は、この例に限定されるものではない。たとえば、各空調情報１０１１は相互に識別するための空調情報番号を有しているとしたが、この番号は、各情報の意味を端的に表す名称や符号などであってもよい。以下では、空調情報番号は、このような広義のものであるとする。
【００２９】
システム通信手段１０２は、空調機４０が接続される有線あるいは無線のネットワーク２０に接続するためのインターフェースを備える。システム通信手段１０２は、ネットワーク２０から空調機４０の状態を示す制御信号を受信し空調情報メモリ１０１の内容を更新する。この制御信号による情報は入力情報である。また、システム通信手段１０２は、空調情報メモリ１０１の、更新による内容変更に基づきネットワーク２０に空調機４０の制御信号を送信する。この制御信号による情報は、出力情報である。
【００３０】
空調機操作手段１０３は、居住者からの操作を受け付け、操作内容に応じて空調情報メモリ１０１の内容を変更する。空調機操作手段１０３は、ユーザ（居住者）が、手動で空調機４０の設定（温度設定、湿度設定、運転モード、風量など）を操作するためのユーザインターフェースである。
【００３１】
空調機自動制御手段１０４は、自動制御ルールメモリ１０５の内容に基づき空調機４０を自動制御する制御内容を決定し空調情報メモリ１０１の内容を変更する。ここで変更される内容は出力情報に該当するものであり、システム通信手段１０２が、空調情報メモリ１０１の内容変更に基づきネットワーク２０に空調機４０の制御信号を送信する。この制御信号により、空調機４０を自動制御する。
【００３２】
自動制御ルールメモリ１０５は、空調機自動制御手段１０４が空調機４０の動作を自動的に制御するためのルールを、図３乃至図６に示す入力判定式１０５１、出力設定式１０５２、入出力接続式１０５３、入出力実行情報１０５４の形でそれぞれ１つ又は複数記憶している。
【００３３】
図３は実施の形態１に係る入力判定式１０５１の例を示す図である。入力判定式１０５１は、空調情報１０１１内の入力情報が、所定の基準値に対してどのような状況であるのかを判定するためのルールを示したものである。入力判定式１０５１は、入力判定式１０５１を識別するための入力番号１０５１ａ、及び、判定式自体を表現する、入力情報番号１０５１ｂと、演算子１０５１ｃと、入力判定値１０５１ｄと、からなる。入力情報番号１０５１ｂは、空調情報メモリ１０１の空調情報番号を示す。入力情報番号１０５１ｂにより空調情報メモリ１０１の該当する空調情報番号の“値”の欄の入力情報の値が参照される。演算子１０５１ｃは、入力情報番号１０５１ｂで参照される入力情報の値を入力判定値１０５１ｄとの比較により判定する際の比較の内容を示す演算子である。比較を行わない場合は、演算子１０５１ｃはない（デフォルト扱い）。入力判定値１０５１ｄは、判定式において上記入力情報の値との比較の基準となる値である。
【００３４】
空調機自動制御手段１０４は、自動制御ルールメモリ１０５から、入力判定式１０５１を読み出す。そして、入力判定式１０５１の入力情報番号１０５１ｂに対応する入力情報の値を、空調情報１０１１から取得し、入力判定式１０５１に入力し、入力判定式１０５１が成立するか否かを判定する。演算子１０５１ｃがデフォルトの場合は、入力情報は入力判定式を満たすと判定される。
【００３５】
図４は実施の形態１に係る出力設定式１０５２の例を示す図である。出力設定式１０５２は、システム通信手段１０２を介して空調機４０に出力する情報（出力情報）を空調情報メモリ１０１に設定するために用いられる。出力設定式１０５２は、出力設定式を識別するための出力番号１０５２ａ、及び、設定式自体を表現する、出力情報番号１０５２ｂと、出力設定値１０５２ｃと、からなる。出力情報番号１０５２ｂは、空調情報メモリ１０１の空調情報番号を示す。出力設定値１０５２ｃは、空調情報１０１１の該当する空調情報番号の“値”の欄に出力情報として格納するための値を示す。
【００３６】
空調機自動制御手段１０４は、入力情報が入力判定式１０５１を満たす場合に、所定の出力設定式１０５２に従って、空調情報メモリ１０１の所定のアドレスに出力設定値１０５２ｃの値を格納する。所定の出力設定式とは、後述する入出力接続式１０５３により入力判定式１０５１と対応付け（“接続”と呼ぶ）られたものである。この対応付けは入出力接続式１０５３により示される。
【００３７】
図５は実施の形態１に係る入出力接続式１０５３の例を示す図である。入出力接続式１０５３は、入力判定式１０５１と出力接続式１０５２との対応付けを示す。入出力接続式１０５３は、入出力接続式を識別するための接続番号と、1つ以上の入力判定式１０５１の入力番号１０５１ａと、1つ以上の出力設定式１０５２の出力番号１０５２ａと、からなる。入出力接続式１０５３は、入力番号１０５１ａで示される入力判定式１０５１が成立した場合に実行対象となりうる出力番号１０５２ａで示される出力設定式１０５２を定義する。
【００３８】
図６は実施の形態１に係る入出力実行情報１０５４の例を示す図である。入出力実行情報１０５４は入出力接続式１０５３に含まれる入力番号１０５１ａ及び出力番号１０５２ａそれぞれに対して有効または無効を定義した、入力実行情報と出力実行情報とからなる。空調機自動制御手段１０４は、入出力実行情報１０５４の入力実行情報において、有効となっている入力番号１０５１ａに対応する入力判定式１０５１による判定を行う。
【００３９】
空調機自動制御手段１０４は、入力番号１０５１ａが有効となっている場合は、その入力番号１０５１ａに対応する入力判定式１０５１が成立する場合に、また、複数の入力番号１０５１ａが有効となっている場合には、有効となっている全ての入力番号１０５１ａに対応する入力判定式１０５１が成立する場合に、入出力実行情報１０５４の出力実行情報において有効となっている出力番号１０５２ａに対応する出力設定式１０５２に設定されている値で空調情報１０１１の該当アドレスに格納されている値を更新する。該当アドレスは出力設定式１０５２の出力情報番号１０５２ｂに対応する空調情報１０１１の空調情報番号で決まるアドレスである。
【００４０】
図３〜図６は入力判定式１０５１、出力設定式１０５２、入出力接続式１０５３、及び入出力実行情報１０５４の一例を示すものであり、入力判定式１０５１、出力設定式１０５２、入出力接続式１０５３、及び入出力実行情報１０５４の内容は、図示した例に限定されない。
【００４１】
ルール調整画面生成手段１０７は、属性定義情報１０７１、アイコン定義情報１０７２、制御値調整許可情報１０７３、及び実行調整許可情報１０７４を有する。ルール調整画面生成手段１０７は、これらの情報、及び自動制御ルールメモリ１０５に記憶された情報に基づき、ルール調整時に居住者に対して表示されるルール調整画面を、例えばルール調整画面を構成する各要素に関する情報を示す調整画面情報１０６１（図２参照）の形で生成し、ルール調整画面メモリ１０６に格納する。
【００４２】
図７は実施の形態１に係る属性定義情報１０７１の例を示す図である。属性定義情報１０７１は、空調情報メモリ１０１に記憶された空調情報１０１１がどのような属性の情報であるかを示す。属性定義情報１０７１は、空調情報メモリ１０１に記憶された空調情報１０１１の空調情報番号と、空調情報１０１１に対し定義された属性と、からなる。図７に示す例では、属性として、温度、湿度、運転モード、風量等が挙げられている。
【００４３】
図８は実施の形態１に係るアイコン定義情報１０７２の例を示す図である。アイコン定義情報１０７２は、入力判定式１０５１及び出力設定式１０５２の内容を表すアイコンを定義する。アイコン定義情報１０７２は、属性定義情報１０７１に示される入出力の属性と、入力の場合の演算子１０５１ｃに示される演算子と、対応するアイコンと、からなる。入力に対応するアイコンを入力アイコン、出力に対応するアイコンを出力アイコン、両者を併せて入出力アイコンと呼ぶ。アイコン定義情報１０７２に定義されている入出力アイコンは、自動制御ルールメモリ１０５の内容を居住者が調整するために使用するルール調整画面において用いられる。入出力アイコンは、出力に用いられる場合など、演算子がない場合（デフォルト扱いを含む）は、属性（運転モード、風量など）毎に定義され、演算子を含む場合は、属性（温度、湿度など）と演算子の組み合せ毎に定義される。
【００４４】
図８に示す入出力アイコンは名称で記載されているが、表示器に表示されるときはこの名称に対応する図形としてのアイコンが使用される。図９は実施の形態１に係るアイコン定義情報で定義されるアイコンの例を示す図である。図９（Ａ）〜（Ｄ）に図８のアイコンの具体例を示す。図９（Ａ）は、“温度”という属性と演算子１０５１ｃ（デフォルトを含む）の組み合わせ、図９（Ｂ）は、“湿度”という属性と演算子１０５１ｃ（デフォルトを含む）の組み合わせ、にそれぞれ対応した入力アイコンの例である。図９（Ｃ）は、“運転モード”という属性に対応した出力アイコンの例である。図９（Ｄ）は、“風量”という属性に対応した出力アイコンの例である。
【００４５】
図８とは別に、入出力接続式１０５３に含まれる入力判定式１０５１、及び出力設定式１０５２の有効／無効（入力実行情報及び出力実行情報（入出力実行情報１０５４））を示す実行調整アイコンも定義される。実行調整アイコンは入出力の属性、演算子１０５１ｃに依らず全入出力情報に共通の固定されたものである。従って、入力判定式１０５１及び出力設定式１０５２には、その内容（入出力の属性、及び演算子等）を表す入出力アイコン（図９に例示）と、入出力の内容とは無関係に入出力実行情報１０５４を表す実行調整アイコンの２つが割り当てられることになる。実行調整アイコンの具体例は後述する。
【００４６】
図１０は実施の形態１に係る制御値調整許可情報１０７３の例を示す図である。制御値調整許可情報１０７３は、入出力接続式１０５３に含まれる入力判定式１０５１の入力番号１０５１ａ、及び出力設定式１０５２の出力番号１０５２ａ毎に、その制御値の調整を許可するかどうかを定めたものである。制御値とは入力判定値１０５１ｄ及び出力設定値１０５２ｃのことをいう。制御値調整許可情報１０７３は、入出力接続式に含まれる入力判定式１０５１及び出力設定式１０５２のうち、いずれが調整を許可する対象であるかを区別するための入出力種別と、調整許可の対象を更に限定するための、入力判定式１０５１の入力番号１０５１ａ及び出力設定式１０５２の出力番号１０５２ａのいずれか一方の番号を示す入出力番号と、からなる。この制御値調整許可情報１０７３は、登録されている入出力番号から、該当する入力番号１０５１ａ、又は出力番号１０５２ａに対応する入力判定式１０５１の入力判定値１０５１ｄ、又は出力設定式１０５２の出力設定値１０５２ｃ（すなわち制御値）を、居住者が調整可能であることを示している。
【００４７】
図１１は実施の形態１に係る実行調整許可情報１０７４の例を示す図である。実行調整許可情報１０７４は、入出力接続式１０５３に対応して入出力実行情報１０５４に設定されている有効／無効の調整を許可するかどうかをあらかじめ定める。実行調整許可情報１０７４は、調整を許可する入出力接続式１０５３の接続番号と、有効／無効についての調整許可の対象が、入力判定式１０５１であるのか、出力設定式１０５２であるのかを区別するための入出力種別と、入力判定式１０５１の入力番号１０５１ａ、または出力設定式１０５２の出力番号１０５２ａを示す入出力番号と、からなる。この実行調整許可情報１０７４に登録されている接続番号の入出力接続式１０５３の、入出力種別に対応する式（入力判定式１０５１及び出力設定式１０５２のいずれか）の入出力番号に対応する入出力実行情報１０５４が、居住者により調整可能であることを示している。
【００４８】
例えば、図１１に示す実行調整許可情報１０７４の例では、接続番号“１”に入力番号“１”及び“２”が登録されている。従って、図１１は、居住者が、図６に示す入出力実行情報１０５４における接続番号“１”の２つの入力実行情報を調整することができることを示している。
【００４９】
図７〜図１１は属性定義情報１０７１、アイコン定義情報１０７２、アイコン、制御値調整許可情報１０７３、実行調整許可情報１０７４の一例を示すものであり、これらの情報は、図７〜図１１に示す例に限定されない。
【００５０】
図１２は実施の形態１に係る調整画面情報１０６１の例を示す図である。ルール調整画面メモリ１０６は、調整画面（ルール調整画面）を、調整画面情報１０６１の形で記憶する。ルール調整画面は居住者が自動制御ルールメモリ１０５に記憶されたルールを調整するときに、居住者に対してルール調整用として表示器に表示される画面である。調整画面情報１０６１は、自動制御ルールメモリ１０５に記憶された入力判定式１０５１、出力設定式１０５２、及び入出力実行情報１０５４を調整する画面の情報を、入出力接続式１０５３毎にまとめたものである。
【００５１】
図１２に示すように、調整画面情報１０６１は、接続番号、入出力種別、入出力番号、アイコン、制御値、制御値調整許可、実行情報、及び実行調整許可の各情報を含む。
【００５２】
接続番号は、ルール調整の対象となる入出力接続式１０５３の接続番号である。入出力種別は、“入力”及び“出力”のいずれかが示され、それにより、ルール調整の対象が入力判定式１０５１に関するものか出力設定式１０５２に関するものかを区別する。入出力番号は、入力判定式１０５１の入力番号１０５１ａ、または出力設定式１０５２の出力番号１０５２ａであり、これによりルール調整の対象を特定する。
【００５３】
アイコンは、アイコン定義情報１０７２で定義された入出力アイコンである。実行調整アイコンは入出力内容に依らず固定されたものなので、調整画面情報１０６１には入出力実行情報が記載されていれば十分であり、実行調整アイコンは含まれない。
【００５４】
制御値は、ルール調整の直接の対象であり、ルール調整の対象が、入力判定式１０５１であれば、入力判定値１０５１ｄ、出力設定式１０５２であれば出力設定値１０５２ｃが制御値に該当する。
【００５５】
制御値調整許可は、制御値に対する調整の“許可”または“禁止”を示す。入出力情報のアイコンの表示状態をユーザ操作で変更可能かどうかは、この制御値調整許可が許可／禁止のいずれであるかに従う。
【００５６】
実行情報は、入出力接続式１０５３の該当する入力判定式１０５１、又は出力設定式１０５２についての、入出力実行情報１０５４の入力実行情報、又は出力実行情報であり、“有効”、又は“無効”を示す。
【００５７】
実行調整許可は、入力実行情報又は出力実行情報の有効／無効についての調整の“許可”又は“禁止”を示す。実行調整アイコンの表示状態をユーザ操作で変更可能かどうかは、この実行調整許可が許可／禁止のいずれであるかに従う。
【００５８】
ルール調整画面生成手段１０７は、ルール調整画面を、この調整画面情報１０６１の形で生成し、ルール調整画面メモリ１０６に格納する。
【００５９】
図１２は調整画面情報１０６１の一例を示すものであり、調整画面情報１０６１は、図１２に示す例に限定されない。
【００６０】
ルール調整操作手段１０８は、ルール調整画面メモリ１０６の内容（調整画面情報１０６１）から調整画面を生成し、リモコン装置３０のルール調整操作手段１０８が備える表示器（例えば、タッチパネルを備える液晶ディスプレイ等）に表示し、居住者から自動制御ルールメモリ１０５の内容を調整する操作を受け付ける。ルール調整操作手段１０８は、ユーザである居住者が、空調機４０の自動制御設定を調整するためのユーザインターフェースである。
【００６１】
（空気調和機制御装置１０の動作概要）
図１３〜図１６は本発明の実施の形態１に係る空気調和機制御装置１０の動作を示すフローチャートである。以下、図１３〜図１６を参照しながら空気調和機制御装置１０の動作を説明する。
【００６２】
本実施の形態１に係る空気調和機制御装置１０の動作は、以下のステップＳ１〜ステップＳ３に大別される。
【００６３】
（ステップＳ１）空調機自動制御処理
空調機自動制御処理は、空気調和機制御装置１０が通常稼動時（空気調和機制御装置１０において空調機４０に関するルール調整の操作がなされていないとき）に実施する処理である。
【００６４】
空調機自動制御処理では、リモコン装置３０のシステム通信手段１０２がネットワーク２０に流れる空調機４０の状態を示す制御信号を取得・解析し、その解析結果を空調情報メモリ１０１に格納する。また、空調機操作手段１０３が、居住者から受け付けた操作内容に基づき空調情報メモリ１０１の値を更新する。さらに、空調機自動制御手段１０４が、空調情報メモリ１０１に格納された値をパラメータとして、自動制御ルールメモリ１０５に記憶された内容に基づいて制御内容を決定し、空調情報メモリ１０１の値を更新する。そして、システム通信手段１０２が、更新された空調情報メモリ１０１の値に基づいて、ネットワーク２０に接続される空調機４０を制御する制御信号を送信する。
【００６５】
（ステップＳ２）調整画面生成・表示処理
調整画面生成・表示処理は、調整画面情報１０６１を生成し、ルール調整画面メモリ１０６に記憶する調整画面生成処理と、ルール調整画面メモリ１０６に記憶する調整画面情報１０６１に基づきルール調整画面を表示器に表示する調整画面表示処理とに分けられる。
【００６６】
調整画面生成処理では、ルール調整画面生成手段１０７は、自動制御ルールメモリ１０５に記憶された制御内容と、これに対応する空調情報１０１１と、入力の判定を行う演算子１０５１ｃとから、属性定義情報１０７１及びアイコン定義情報１０７２を用いて制御の際の入力及び出力アイコンを抽出して調整画面情報１０６１を生成し、ルール調整画面メモリ１０６に格納する。この処理はルール調整後に、変更されたルールに基づき実施される。ルール調整後とは、ルール調整操作手段１０８を介して、居住者がルール調整を実施し、自動制御ルールメモリの内容を変更し終わったときを意味する。
【００６７】
調整画面表示処理では、ルール調整操作手段１０８は、ルール調整画面メモリ１０６に格納された調整画面情報１０６１を元にルール調整画面を生成し、表示器にルール調整画面を表示する。この処理はルール調整時に実施する。ルール調整時とは、ルール調整操作手段１０８を介して、居住者がルール調整の実施を開始する旨の入力を行ったときを意味する。
【００６８】
（ステップＳ３）制御ルール調整処理
制御ルール調整処理は、ルール調整画面を介して自動制御ルールメモリの内容を調整する処理で、空気調和機制御装置１０がルール調整操作手段１０８に具体的なルール調整の操作を受け付けた時点で開始される。
【００６９】
ルール調整操作手段１０８は、ステップＳ２でルール調整画面メモリ１０６に記憶された調整画面情報１０６１に基づいてルール調整画面を作成し、表示器に表示する。居住者は、ステップＳ２で表示されたルール調整画面をステップＳ３で操作することにより、自動制御ルールメモリ１０５に記憶された制御内容を調整する。
【００７０】
なお、上記ステップＳ１〜ステップＳ３の動作プログラムはリモコン装置３０のＲＯＭに格納されており、ＣＰＵがこの動作プログラムを読み込むことにより実行される。
【００７１】
次に、ステップＳ１〜ステップＳ３の詳細を、各部の詳細機能・動作とともに説明する。
【００７２】
（空調機自動制御処理（ステップＳ１）の動作概要）
図１３は空調機自動制御処理の詳細を示すフローチャートである（ステップＳ１）。以下、図１３の各ステップについて説明する。
【００７３】
空調機自動制御処理では、まず、システム通信手段１０２は、ネットワーク２０から空調機４０の状態を示す制御信号を受信したか否かを判定する（ステップＤ１）。空調機４０の状態を示す制御信号を受信したと判定した場合（ステップＤ１；ＹＥＳ）、システム通信手段１０２は該信号を解析し、解析結果に基づき送信元空調機４０が複数ある場合、その中のどの機器であるのかを示す送信元機器、該信号の情報種別、及び該情報の値、を一組として抽出し、空調情報メモリ１０１の該当する箇所に空調情報１０１１として格納して空調情報メモリ１０１を更新し（ステップＳ１０１）、次のステップＤ３に移行する。
【００７４】
なお、該信号はパケットであって、該送信元機器及び該情報種別、該値は所定のバイト位置に格納された値に基づき決定してもよいし、該信号はＯＮ／ＯＦＦのみを表すデジタル信号であって、該値はそのＯＮ／ＯＦＦ値であって、該送信元機器及び該情報種別は該制御信号が受信されたポート番号に基づき決定してもよい。
【００７５】
空調機４０の状態を示す制御信号を受信していない場合（ステップＤ１；ＮＯ）、空調機操作手段１０３は、空調機操作手段１０３に対する操作があったか否かを判別する（ステップＤ２）。操作があった場合（ステップＤ２；ＹＥＳ）、空調機操作手段１０３は、操作内容から操作対象の空調機４０、情報種別、及び情報種別の値、を一組として抽出し、空調情報メモリ１０１の該当する箇所に空調情報１０１１として格納して空調情報メモリ１０１を更新し（ステップＳ１０２）、ステップＤ３に移行する。空調機操作手段１０３への操作がなかった場合（ステップＤ２；ＮＯ）、ステップＤ１に戻る。
【００７６】
該操作は設定温度の変更操作であってもよいし、風向の変更操作であってもよい。該値は変更された情報の変更後の状態を定義した値であってもよい。
【００７７】
次に、空調機自動制御手段１０４は、空調情報メモリ１０１において更新された情報（更新値）の空調情報番号が、入力判定式１０５１にあるかどうかを判別する（ステップＤ３）。これは、更新値が自動制御ルールメモリ１０５に記憶された入力判定式１０５１の入力に定義された情報であるか否かを判別することであり、空調情報メモリ１０１における更新された空調情報１０１１の空調情報番号が、自動制御ルールメモリ１０５における入力判定式１０５１の入力情報番号１０５１ｂと一致するかどうかを調べることにより行われる。
【００７８】
空調機自動制御手段１０４は、更新された情報が自動制御ルールメモリ１０５に記憶された入力判定式１０５１の入力に定義された情報であったならば（ステップＤ３；ＹＥＳ）、入力判定式１０５１の入力情報番号１０５１ｂに対応する更新された情報の値を入力判定式１０５１の比較対象として、入力判定式１０５１に入力する（ステップＳ１０３）。更新値の空調情報番号が、入力判定式にない場合、すなわち更新値が自動制御ルールメモリ１０５に記憶された入力判定式１０５１の入力に定義された情報でなければ（ステップＤ３；ＮＯ）、ステップＤ１の処理に戻る。
【００７９】
空調機自動制御手段１０４は、値の入力があると、入力判定式１０５１が有する演算子１０５１ｃに対応する関数を、該入力された値と入力判定値１０５１ｄとを引数として呼び出し、入力判定式１０５１を満たす（“成立”）か満たさない（“不成立”）かの判定を実施する（ステップＳ１０４）。
【００８０】
空調機自動制御手段１０４は、対象となる入力判定式１０５１を入力番号１０５１ａとして有する入出力接続式１０５３、及びこの入出力接続式１０５３に対応した入出力実行情報１０５４を自動制御ルールメモリ１０５から読み出して、得られた結果（“成立”／“不成立”）を、入出力接続式１０５３の該当する入力番号１０５１ａの箇所に入力する。このとき、入出力実行情報１０５４の入力実行情報において“無効”となっている入力判定式１０５１については、無条件に該入力判定式１０５１が成立したものとして、入出力接続式１０５３の該当する入力番号１０５１ａの箇所に“成立”を入力する。
【００８１】
入出力接続式１０５３の入力番号１０５１ａの欄については、複数の入力があると、入力の論理積をとる。そうして得られた結果が成立の場合、入出力実行情報１０５４の出力実行情報が有効となっている入出力接続式１０５３の出力番号１０５２ａに対応する出力設定式１０５２が、これにより実行する出力設定式１０５２として決定される（ステップＳ１０５）。
【００８２】
空調機自動制御手段１０４は、出力設定式１０５２に従って、入力に対応して、空調情報メモリ１０１内の所定の箇所（アドレス）に出力設定値１０５２ｃの値を設定し、記憶する。（ステップＳ１０６）。
【００８３】
システム通信手段１０２は、ステップＳ１０６で記憶された値が空調機４０の制御に関係する値であるか否かを判定する（ステップＤ４）。この判定は空調機４０の制御に関係する出力設定式１０５２をあらかじめ登録し、この登録情報と照合することで実行することができる。空調機４０の制御に関係するものであれば（ステップＤ４；ＹＥＳ）、ステップＳ１０６で記憶された値に対応して、空調機４０を制御する制御信号を生成し、ネットワーク２０に接続される空調機４０へと送信し、ステップＤ１の処理に戻る（ステップＳ１０７）。空調機４０の制御に関係するものでない場合（ステップＤ４；ＮＯ）、直接、ステップＤ１の処理に戻る。
【００８４】
（調整画面生成・表示処理（ステップＳ２）の動作概要）
調整画面生成・表示処理（ステップＳ２）は、調整画面生成処理と、調整画面表示処理とに大別される。図１４は実施の形態１に係る調整画面生成処理の詳細を示すフローチャートで、図１５は実施の形態１に係る調整画面表示処理の詳細を示すフローチャートである。
【００８５】
図１４に示す処理は、ルール調整画面生成手段１０７が、自動制御ルールメモリ１０５が記憶する制御内容に基づいて調整画面情報１０６１を生成し、ルール調整画面メモリ１０６に格納する、ステップＳ２０１〜ステップＳ２０８の処理である。図１５に示す処理は、ルール調整操作手段１０８が、ルール調整画面メモリ１０６が記憶する調整画面情報１０６１に基づいて、表示器にルール調整画面を表示するステップＳ２５１〜ステップＳ２５６の処理である。
【００８６】
図１４を参照しながら、ルール調整画面生成手段１０７が行う調整画面生成処理について説明する。
【００８７】
ルール調整画面生成手段１０７は、まず、自動制御ルールメモリ１０５に記憶されている制御内容についてルール調整操作手段１０８により自動制御ルールが変更されると、自動制御ルールメモリ１０５から全ての入出力接続式１０５３を取得する（ステップＳ２０１）。
【００８８】
以下のステップＳ２０２〜ステップＳ２０６は、取得した入出力接続式１０５３に含まれる全ての入力判定式１０５１及び出力設定式１０５２について実行される。
【００８９】
次に、ルール調整画面生成手段１０７は、入出力接続式１０５３に含まれる対象とする入力判定式１０５１または出力設定式１０５２を自動制御ルールメモリ１０５から取得する（ステップＳ２０２）。
【００９０】
ルール調整画面生成手段１０７は、入力判定式１０５１の場合には（ステップＤ５；入力）、入力情報番号１０５１ｂが参照する空調情報１０１１の属性を、属性定義情報１０７１から取得して（ステップＳ２０３ａ）、ステップＳ２０４ａへと進む。出力設定式１０５２の場合には（ステップＤ５；出力）、出力情報番号１０５２ｂが参照する空調情報１０１１の属性を、属性定義情報１０７１から取得して（ステップＳ２０３ｂ）、ステップＳ２０４ｂへと進む。
【００９１】
ステップＳ２０４ａでは、ルール調整画面生成手段１０７は、アイコン定義情報１０７２を参照して、入力情報番号１０５１ｂが参照する空調情報１０１１の属性と演算子１０５１ｃの組み合わせに応じた入力アイコンを取得する（ステップＳ２０４ａ）。
【００９２】
ステップＳ２０４ｂでは、ルール調整画面生成手段１０７は、アイコン定義情報１０７２を参照して、出力情報番号１０５２ｂが参照する空調情報１０１１の属性に応じた出力アイコンを取得する（ステップＳ２０４ｂ）。
【００９３】
ステップＳ２０４ａまたはＳ２０４ｂの処理に続いて、ルール調整画面生成手段１０７は、制御値調整許可情報１０７３を参照し、対象とする入力判定式１０５１または出力設定式１０５２が、制御値調整許可情報１０７３に含まれるかどうかを判定し、含まれる場合には制御値の調整を許可し、含まれない場合には制御値の調整を禁止するという内容の、制御値調整許可に関する情報を決定する（ステップＳ２０５）。
【００９４】
次に、ルール調整画面生成手段１０７は、自動制御ルールメモリ１０５から入出力実行情報１０５４を取得し、対象とする入出力接続式１０５３の入力判定式１０５１または出力設定式１０５２に対する入出力実行情報を有効、無効のいずれかに決定する（ステップＳ２０６）。
【００９５】
そして、ルール調整画面生成手段１０７は、実行調整許可情報１０７４を参照し、対象とする入力判定式１０５１または出力設定式１０５２が、実行調整許可情報１０７４に含まれるかどうかを判定し、含まれている場合には実行情報の調整を許可し、含まれない場合には実行情報の調整を禁止するという内容の、実行調整許可に関する情報を決定する（ステップＳ２０７）。
【００９６】
ルール調整画面生成手段１０７は、ステップＳ２０１で取得した入出力接続式１０５３の接続番号と、ステップＳ２０２で取得した入力判定式１０５１の入力番号１０５１ａまたは出力設定式１０５２の出力番号１０５２ａと、ステップＳ２０２で取得した制御値（入力判定値または出力設定値）と、ステップＳ２０４ａまたはステップＳ２０４ｂで取得した入出力アイコンと、ステップＳ２０５における制御値に対する調整を許可、または禁止するという制御値調整許可の情報の決定結果と、ステップＳ２０６で決定した有効、無効に関する入出力実行情報と、ステップＳ２０７における実行情報に対する調整を許可、または禁止するという実行調整許可の情報の決定結果と、を一組にして調整画面情報１０６１として、ルール調整画面メモリ１０６に格納する（ステップＳ２０８）。
【００９７】
次に、図１５を参照しながら、ルール調整操作手段１０８が行う調整画面表示処理について説明する。この処理は居住者がルール調整操作手段１０８からルール調整の入力を始めるときに、その意思表示として、所定の入力を行うことで開始される。
【００９８】
ルール調整操作手段１０８は、まず、ルール調整画面メモリ１０６から調整画面情報１０６１を取得する（ステップＳ２５１）。
【００９９】
以下のステップＳ２５２〜ステップＳ２５６は、取得した調整画面情報１０６１の接続番号毎に実行される。
【０１００】
ルール調整操作手段１０８は、調整画面情報１０６１の対象とする接続番号に含まれる入出力の数から入力判定式１０５１の調整を行うための入力アイコン及び出力設定式１０５２の調整を行うための出力アイコンの調整画面における表示位置を算出する（ステップＳ２５２）。例えば、入力アイコンを画面上の左上から左下方向に並べて配置し、出力アイコンを右上から右下方向に並べて配置することができるように位置を算出する。
【０１０１】
続いて、ルール調整操作手段１０８は、算出した表示位置に、制御値をパラメータとした入力アイコン、及び出力アイコンを描画する（ステップＳ２５３）。
【０１０２】
ルール調整操作手段１０８は、入力アイコンと出力アイコンの間を線で結ぶ（ステップＳ２５４）。これにより、各アイコンが同一の接続番号についての単一のルールであることを表現できる。
【０１０３】
ルール調整操作手段１０８は、図１２において入力番号１０５１ａに対応した実行調整許可の内容が“許可”であれば入力アイコンの右隣に、出力番号１０５２ａに対応した実行調整許可の内容が“許可”であれば出力アイコンの左隣に、実行情報を引数として実行調整アイコンを描画する（ステップＳ２５５）。実行調整許可の情報が“禁止”の場合は実行調整アイコンは描画されない。“実行情報を引数として描画する”とは、実行情報の“有効／無効”がわかるように描画することをいう。
【０１０４】
最後に、生成した画像をリモコン装置３０が有する表示器に出力する（ステップＳ２５６）。
【０１０５】
なお、このステップＳ２は、これまで説明してきた自動制御ルールメモリ１０５に記憶されている制御ルールを、ルール調整操作手段１０８を介して調整する場合だけでなく、制御ルール入力手段１０９を介して制御ルールを入力し、自動制御ルールメモリ１０５に記憶する場合にも同様に適用できる。
【０１０６】
（制御ルール調整処理（ステップＳ３）の動作概要）
図１６は実施の形態１に係る制御ルール調整処理の詳細を示すフローチャートである（ステップＳ３）。ここでは、ステップＳ２の処理により、ルール調整操作手段１０８が有する表示器に、ルール調整画面が表示されているとする。以下、各ステップについて説明する。
【０１０７】
制御ルール調整処理では、ルール調整操作手段１０８は、ルール調整操作手段１０８に対する操作を受け付けたか否かを判別する（ステップＤ６）。居住者からの操作を受け付けると（ステップＤ６；ＹＥＳ）、操作対象となっているルール調整画面上の入力アイコン又は出力アイコンを特定する（ステップＳ３０１）。操作受付がない場合は（ステップＤ６；ＮＯ）、操作受付があるまで待機する。
【０１０８】
上記特定は、ルール調整画面を表示する際に算定したアイコンの表示位置に基づき実行され、入出力に関するアイコンか、実行調整アイコンかを含めて、調整画面情報１０６１のどの行に該当するアイコンかが特定される。ステップＳ３０１では、リモコン装置３０におけるルール調整操作手段１０８のユーザインターフェースが、タッチパネルやポインタと操作ボタンによるインターフェースならば、座標とアイコンの描画範囲から操作対象を特定することができる。対象移動ボタンと操作ボタンを組み合わせたインターフェースであれば、操作ボタン押下時に選択されているアイコンを操作対象と特定してもよい。対象移動ボタンは選択するアイコンを変更するボタンで、十字キーのようなものである。操作ボタンはアイコンの状態を変更するボタンで、実行ボタンや＋−ボタンのようなものである。
【０１０９】
次に、ルール調整操作手段１０８は、ルール調整画面メモリ１０６の内容を参照して、操作対象と特定したアイコンの調整が許可されているかどうかを判定する（ステップＤ７）。アイコンの調整の許可または禁止は、操作対象が入力アイコンまたは出力アイコンである場合には調整画面情報１０６１の制御値調整許可の内容を参照して判定し、実行調整アイコンである場合には調整画面情報１０６１の実行調整許可の内容を参照して判定する。
【０１１０】
調整が許可されている場合には（ステップＤ７；ＹＥＳ）、ルール調整操作手段１０８は、調整に先立ち、空調機自動制御手段１０４の動作を停止する（ステップＳ３０２）。調整が禁止されている場合は（ステップＤ７；ＮＯ）、ルール調整操作手段１０８からの次の操作の有無を判定する（ステップＤ６）。
【０１１１】
ステップＳ３０２の後、ルール調整操作手段１０８は、操作対象が入力アイコンまたは出力アイコンである場合には調整画面情報１０６１の制御値の内容を、また、操作対象が実行調整アイコンである場合には調整画面情報１０６１の実行情報の内容を操作の結果選択された内容に更新する（ステップＳ３０３）。
【０１１２】
そして、ルール調整操作手段１０８は、ステップＤ７ですでに判別した結果に従って、操作対象のアイコンに対応した具体的な調整処理の対象が何であるかを判別する（ステップＤ８）。
【０１１３】
操作対象のアイコンが入力アイコンである場合（ステップＤ８；入力判定式）、調整処理の対象は入力判定式１０５１となり、ルール調整操作手段１０８は、調整画面情報１０６１の入出力番号を参照し、自動制御ルールメモリ１０５の該当する入力判定式１０５１の入力判定値１０５１ｄを操作の結果選択された値に更新する（ステップＳ３０４ａ）。
【０１１４】
操作対象のアイコンが出力アイコンであった場合（ステップＤ８；出力設定式）、調整処理の対象は出力設定式１０５２となり、ルール調整操作手段１０８は、調整画面情報１０６１の入出力番号を参照し、自動制御ルールメモリ１０５の該当する出力設定式１０５２の出力設定値１０５２ｃを操作の結果選択された値に更新する（ステップＳ３０４ｂ）。
【０１１５】
操作対象のアイコンが実行調整アイコンであった場合、調整処理の対象は入出力接続式１０５３に対応した入出力実行情報１０５４となり（ステップＤ；入出力実行情報）、ルール調整操作手段１０８は、調整画面情報１０６１の入出力番号を参照し、自動制御ルールメモリ１０５の該当する入出力実行情報１０５４の内容を操作の結果選択された内容に更新する（ステップＳ３０４ｃ）。
【０１１６】
ステップＳ３０４ａ〜Ｓ３０４ｃの処理を終えると、ルール調整操作手段１０８は、空調機自動制御手段１０４の動作を再開する（ステップＳ３０５）。
【０１１７】
（具体例）
“部屋Ａの室温が２６度以上、湿度が７０％の場合に、空調機４０を風量が中、冷房モードで稼動する”という内容の自動制御が自動制御ルールメモリ１０５に記憶されている場合を例に、空気調和機制御装置１０の動作を説明する。
【０１１８】
部屋Ａには、空調機４０が設けられており、空調機４０は、室内ユニット４０ａ、温度センサ４０ｂ、湿度センサ４０ｃ、から構成されているとする（図１では明示していない）。室内ユニット４０ａは、空調機４０の本体であり、空気調和機制御装置１０の制御のもとで空気調和を行う。温度センサ４０ｂは、室内ユニット４０ａの周囲の温度を測定するセンサである。湿度センサ４０ｃは、室内ユニット４０ａの周囲の湿度を測定するセンサである。
【０１１９】
リモコン装置３０の空調情報メモリ１０１には、システム通信手段１０２がネットワーク２０を介して取得した、温度センサ４０ｂ及び湿度センサ４０ｃの計測結果（温度と湿度）と、室内ユニット４０ａの運転モード及び風量の値とが、図２に示すように空調情報１０１１として記憶されている。
【０１２０】
属性定義情報１０７１には、図７に示すように、該空調情報メモリ１０１に記憶された情報に対する属性が定義されている。
【０１２１】
属性定義情報１０７１を参照することにより、図２の空調情報１０１１は、部屋Ａの温度が２７℃、湿度が８０％、運転モードが値０に対応する“停止”、風量が値２に対応する“強”であることが分かる。即ち、空調機４０は、現在動作していない。
【０１２２】
アイコン定義情報１０７２には、図８に示すように、温度、湿度、運転モード、風量の属性に応じたアイコンが定義されており、温度及び湿度については２つの演算子“＜”と“＞”との組み合わせに対応したアイコンが定義されている。なお、各アイコンは図９に示すものである。
【０１２３】
自動制御ルールメモリ１０５には、図３〜図６に示すように、２つの入力判定式１０５１、２つの出力設定式１０５２、１つの入出力接続式１０５３、１つの入出力実行情報１０５４が、作業者から制御ルール入力手段１０９により入力されているものとする。
【０１２４】
入力判定式１０５１には以下の内容が定義されている。
（入力番号“１”）温度  ＞  ２６（℃）
（入力番号“２”）湿度  ＞  ７０（％）
出力設定式１０５２には以下の内容が定義されている。
（出力番号“１”）運転モード  ＝  ２（冷房）
（出力番号“２”）風量  ＝  １（中）
【０１２５】
入出力接続式１０５３は、入力番号“１”と入力番号“２”が成立した場合に、出力番号“１”と出力番号“２”を実行すると定義されている。入出力実行情報１０５４は、入力番号“１”、入力番号“２”、出力番号“１”、及び出力番号“２”が“有効”と定義されている。
【０１２６】
また、ルール調整画面生成手段１０７には、図１０、図１１に示す、作業者が調整許可情報入力手段１１０から入力した、入力番号“２”及び出力番号“２”の制御値の調整を“許可”とした制御値調整許可情報１０７３、及び、入力番号“１”及び入力番号“２”の実行情報の調整を“許可”とした実行調整許可情報１０７４が保持されている。これらは、例えば、湿度センサ４０ｃの設置箇所の特性に合わせるために入力番号“２”の調整を許可し、冷房の風量を居住者の好みに合わせるために出力番号“２”の調整を許可し、センサの故障に備えて入力番号“１”及び入力番号“２”の実行情報の調整を許可するという場合を想定している。
【０１２７】
空調機自動制御処理ステップＳ１の動作を説明する。システム通信手段１０２は、すでに説明したとおりネットワーク２０から空調機４０の状態を示す制御信号を受信し（ステップＤ１；ＹＥＳ）、この制御信号を解析して、空調情報メモリ１０１の空調情報番号“１”及び“２”の該当するアドレスに、図２に示すように、値“２７”及び“８０”を格納する（ステップＳ１０１）。それぞれの値は属性定義情報１０７１の空調情報番号“１”及び“２”の該当する属性がそれぞれ温度及び湿度とあることから、格納された値“２７”及び“８０”は、温度２７度、湿度８０％を意味することがわかる。
【０１２８】
空調機自動制御手段１０４は、空調情報メモリ１０１の更新を受け、更新された情報に対応する入力判定式１０５１が存在するかどうかの判定を実行する（ステップＤ３）。更新された情報の空調情報番号“１”及び“２”が入力判定式１０５１の入力番号“１”及び“２”に対応する入力情報番号１０５１ｂにそれぞれ登録されているので、対応する入力判定式１０５１が存在すると判定される（ステップＤ３；ＹＥＳ）。
【０１２９】
次に、空調機自動制御手段１０４は、更新値に対応する入力番号“１”及び“２”の入力判定式１０５１の温度及び湿度に、それぞれ更新値である“２７”、及び“８０”を入力する（ステップＳ１０３）。この入力により、空調機自動制御手段１０４は、空調情報メモリ内の更新された値に対して入力番号“１”及び入力番号“２”の入力判定式１０５１による判定を実行する。図３の例では、更新値である“２７”、及び“８０”は、それぞれ該当する入力判定値“２６”、及び“７０”よりも大きいので、どちらの更新値に対しても入力判定式１０５１が成立すると判定する（ステップＳ１０４）。
【０１３０】
空調機自動制御手段１０４は、次に、更新された入力に対応して実行する出力を決定するために、更新された入力についての入力判定式１０５１を含む入出力接続式１０５３を自動制御ルールメモリ１０５から抽出する。
【０１３１】
図５に示す入出力接続式１０５３の例では、入出力接続式１０５３に入力判定式１０５１の入力番号“１”及び“２”が記憶されている。また、図６に示す入出力実行情報１０５４の例では、入力番号“１”及び入力番号“２”の実行情報はどちらも有効となっている。従って、空調機自動制御手段１０４は、入力番号“１”及び“２”の入力判定式１０５１の判定結果の論理積をとり、入出力接続式１０５３の入力が成立すると判定する。
【０１３２】
空調機自動制御手段１０４は、この成立を受け、入出力接続式１０５３の出力番号に記憶された出力設定式１０５２を、実行する出力設定式１０５２として決定する（ステップＳ１０５）。
【０１３３】
図５に示す入出力接続式１０５３では、出力番号“１”及び出力番号“２”が出力設定式１０５２として記憶されている。また、図６に示す入出力実行情報１０５４の例では、出力番号““１”及び出力番号“２”ともに出力実行情報が有効となっている。従って、空調機自動制御手段１０４が実行する出力設定式１０５２として決定するのは、出力番号“１”及び“２”の出力設定式１０５２である。
【０１３４】
空調機自動制御手段１０４は、次に、決定した出力設定式１０５２に従って、空調情報メモリ内の空調情報１０１１の値を設定する（ステップＳ１０６）。
【０１３５】
図４に示す出力設定式１０５２の例では、出力番号“１”及び“２”の出力情報番号１０５２ｂはそれぞれ“３”及び“４”であり、これに対応する出力設定値１０５２ｃは、それぞれ“２”及び“１”である。出力情報番号１０５２ｂは図２に示す空調情報メモリ１０１に格納されている空調情報１０１１の空調情報番号に対応しているため、出力番号“１”及び“２”の出力設定式１０５２に従って、空調機自動制御手段１０４は、空調情報メモリ１０１内の空調情報１０１１の空調情報番号“３”に対応する値（図２では“０”となっている値）を“２”に、また、空調情報番号“４”に対応する値（図２では“２”となっている値）を“１”に設定する。出力情報番号“３”及び“４”の属性は図７に示す属性定義情報１０７１により、それぞれ運転モード及び風量である。従って空調情報メモリ１０１の内容は、運転モード“２”すなわち“冷房”、風量“１”すなわち風量“中”に変更されることになる。
【０１３６】
システム通信手段１０２は空調情報メモリ１０１の変更を受け、空調情報メモリ１０１の変更が空調機制御に関係するものかどうかを判定する（ステップＤ４）。今回の例で更新された出力設定式１０５２の各値は、運転モード及び風量であり、これらはいずれも空調機制御に関係すると判定される（ステップＤ４；ＹＥＳ）。
従って、システム通信手段１０２は、室内ユニット４０ａに対して、運転モード“２”すなわち“冷房”、風量“１”すなわち“中”に対応する制御信号をネットワーク２０を介して送信する。
【０１３７】
調整画面生成・表示処理ステップＳ２の内、調整画面生成処理の具体例について図５に示す入出力接続式１０５３を例にとり図１４に従って説明する。
【０１３８】
ルール調整画面生成手段１０７は、調整画面情報１０６１の作成のために、まず、自動制御ルールメモリ１０５から入出力接続式１０５３を取得する（ステップＳ２０１）。以下の処理は取得した入出力接続式の全ての入力／出力に対して実行する。
【０１３９】
図５の入出力接続式１０５３には入力番号“１”と“２”、出力番号“１”と“２”が記憶されている。ルール調整画面生成手段１０７は、自動制御ルールメモリ１０５からこの入力番号に対応する入力判定式１０５１、及び出力番号に対応する出力設定式１０５２を取得する（ステップＳ２０２）。このとき取得した、入力判定値１０５１ｄ、及び出力設定値１０５２ｃが調整画面情報１０６１の制御値に該当する。例えば、入力番号“１”に対する制御値は“２６”である。
【０１４０】
次に、ルール調整画面生成手段１０７は、処理対象が入出力接続式１０５３の入力番号に対応するものか出力番号に対応するものかを判定する（ステップＤ５）。入力番号“１”の場合（ステップＤ５；入力）、ルール調整画面生成手段１０７は、ステップＳ２０２で取得した入力判定式１０５１の入力番号“１”に対応する入力情報番号１０５１ｂ（図３）から図２に示す空調情報番号“１”を取得し、図７の属性定義情報１０７１から空調情報番号“１”、すなわち入力番号“１”に対する属性として“温度”を取得する（ステップＳ２０３ａ）。
【０１４１】
次に、ルール調整画面生成手段１０７は、アイコン定義情報１０７２から属性“温度”と入力番号“１”の入力判定式１０５１の演算子“＞”の組み合わせに対応するアイコンとして“下限温度計”アイコンを取得する（ステップＳ２０４ａ）。
【０１４２】
また、ルール調整画面生成手段１０７は、制御値調整許可情報１０７３に入力番号“１”が含まれていないことから入力判定式１０５１の入力番号“１”の入力判定値１０５１ｄである“２６”が調整禁止であることを取得し、制御値調整許可の内容を“禁止”と決定する（ステップＳ２０５）。
【０１４３】
また、ルール調整画面生成手段１０７は、自動制御ルールメモリ１０５から入出力実行情報１０５４を取得し（ステップＳ２０６）、入出力実行情報１０５４から入力番号“１”の実行情報が有効であることを取得する。
【０１４４】
ルール調整画面生成手段１０７は、次に、実行調整許可情報１０７４に入力番号“１”が含まれていると判定し、入力番号“１”の入力実行情報の調整が許可されていることを取得し、実行調整許可の内容を“許可”と決定する（ステップＳ２０７）。
【０１４５】
図１２に示す調整画面情報１０６１の接続番号“１”、入出力種別“入力”、入出力番号“１”に対応するアイコン、制御値、制御値調整許可、実行情報、実行調整許可の内容は、ステップＳ２０１、Ｓ２０２、Ｓ２０４ａ、Ｓ２０５、Ｓ２０６、及びＳ２０７で得られた内容である。ルール調整画面生成手段１０７は、このようにして得られた調整画面情報１０６１をルール調整画面メモリ１０６に記憶する（ステップＳ２０８）。
【０１４６】
入出力接続式１０５３の入力番号“２”、出力番号“１”、出力番号“２”についても同様にステップＤ５からステップＳ２０８までを実行する。なお、出力番号の場合は、ステップＳ２０３ａ、及びステップＳ２０４ａに代えてステップＳ２０３ｂ、及びステップＳ２０４ｂの内容を実行する。ステップＳ２０３ｂは、出力情報の属性を、属性定義情報１０７１から取得するという処理であり、ステップＳ２０４ｂは、アイコン定義情報１０７２から属性に対応したアイコンを取得するという処理である。
【０１４７】
このようにして、ルール調整画面生成手段１０７は、図１２に示すような調整画面情報１０６１を生成し、ルール調整画面メモリ１０６に記憶する。なお、ステップＳ２０８を入出力接続式１０５３の入力番号１０５１ａ、及び出力番号１０５２ａ毎に実行するのではなく、全ての入力番号１０５１ａ、及び出力番号１０５２ａに対するステップＳ２０７までの処理を完了した後で実行してもよい。
【０１４８】
次に、調整画面生成・表示処理ステップＳ２の調整画面表示処理の具体例について図１５に従って説明する。ルール調整操作手段が表示するルール調整画面の例は図１７に示す。
【０１４９】
ルール調整操作手段１０８は、ルール調整画面メモリ１０６から、調整画面情報１０６１を取得する（ステップＳ２５１）。
【０１５０】
ルール調整画面は、調整画面情報１０６１の接続番号毎に表示される。調整画面情報１０６１には、接続番号“１”に関して入力番号が２つと出力番号が２つあるため、ルール調整操作手段１０８は、表示画面上でのそれぞれに対応するアイコンの表示位置を決める。例えば、入力番号“１”のアイコン（下限温度計アイコン）が画面左上、入力番号“２”のアイコン（下限水滴アイコン）がその下、出力番号“１”のアイコン（冷房アイコン）が画面右上、出力番号“２”のアイコン（３段風量アイコン（以下では風量アイコンと略称する））がその下となる表示位置を算出する。さらに実行調整が“許可”となっているため、これに対応した実行調整アイコンが存在し、入力番号“１”と入力番号“２”のアイコンの右の位置を２つの実行調整アイコンの表示位置として算出する（ステップＳ２５２）。      
【０１５１】
ルール調整操作手段１０８は、次に、入力番号“１”、入力番号“２”、出力番号“１”、出力番号“２”の各制御値をパラメータとしてアイコン中に含めて入力アイコン、及び出力アイコンをそれぞれ２個描画する（ステップＳ２５３）。
【０１５２】
ルール調整操作手段１０８は、次に、入力番号“１”の入力アイコン及び入力番号“２”の入力アイコンと、出力番号“１”の出力アイコン及び出力番号“２”の出力アイコンとの間に、接続線を描画する（ステップＳ２５４）。また、入出力接続式１０５３では、入力番号“１”と“２”との論理積をとることになっているため、２個の入力アイコンからの接続線と２個の出力アイコンからの接続線の間には、図１７に示すように、入力番号“１”と“２”との論理積をとることを示す白抜きの矩形を配置する。
【０１５３】
ルール調整操作手段１０８は、次に、実行情報の有効／無効を変更することが“許可”されていることを示すために、接続線上に、それぞれ、実行情報をパラメータとした実行調整アイコンを描画する（ステップＳ２５５）。実行調整アイコンは、現在、実行情報が“有効”であることを示すために、図１７に示すように、例えば接続線の方向に沿って穴の開いたアイコンにする。調整により“無効”にするためには、画面上で、例えばこの実行調整アイコンを９０度回転させる。
【０１５４】
このようにして図１７に示すルール調整画面を生成し、表示器に出力する（ステップＳ２５６）。
【０１５５】
制御ルール調整処理ステップＳ３の具体例について図１６に従って説明する。ここでは、ルール調整操作手段１０８のインターフェースがタッチパネルであるとして、居住者が“風量を弱くする”調整と、“湿度センサを無効にする”調整を行う場合について説明する。
【０１５６】
ルール調整操作手段１０８の表示器には調整画面情報１０６１の各接続番号毎に図１７に示すような画面が表示される。ここでは、接続番号１でのルール調整操作を行う場合について図１７を参照しつつ説明する。
【０１５７】
ルール調整操作手段１０８は、ルール調整操作の有無を判定する（ステップＤ６）。調整操作がなければ（ステップＤ６；ＮＯ）、ステップＤ６を繰り返す。“風量を弱くする”というルール調整を行う場合、居住者は画面上で、画面右下に位置する風量アイコンをタッチする。風量アイコンは風量の増減操作ができるように設定されており、居住者は“風量を弱くする”操作を行う（ステップＤ６；ＹＥＳ）。
【０１５８】
ルール調整操作手段１０８は、この操作内容を解析して調整画面情報１０６１の中の操作対象アイコンを特定する（ステップＳ３０１）。この特定は、画面上での操作位置により行われる。
【０１５９】
更に、ルール調整操作手段１０８は、操作対象アイコンが特定されることにより、操作対象のアイコンが調整許可されているかどうか判定する（ステップＤ７）。調整対象となる調整画面情報１０６１の接続番号“１”の入出力種別が“出力”、入出力番号“２” （すなわち出力番号“２”）の制御値が調整対象であること、また、この制御値に対応する制御値調整許可の欄が“許可”となっていることから、このアイコンの調整が許可されていると判定する（ステップＤ７；ＹＥＳ）。
【０１６０】
ルール調整操作手段１０８は、次に、“風量を弱くする”に対応した居住者の操作に応じて画面上で風量の目盛りを増減させ、空調機自動制御手段１０４を停止させ（ステップＳ３０２）、ルール調整画面メモリ１０６に格納された調整画面情報１０６１の出力番号“２”に対応する制御値を、“風量を弱くする”に対応する数値に変更する（ステップＳ３０３）。
【０１６１】
次にルール調整操作手段１０８は、アイコンの具体的な調整対象が何かを判定する（ステップＤ８）。ステップＳ３０３で、出力番号“２”に対応する制御値の調整であることがわかっているので、ルール調整操作手段１０８は、アイコンの具体的な調整対象を出力設定式１０５２と判定し（ステップＤ８；出力設定式）、自動制御ルールメモリ１０５に格納された出力設定式１０５２の出力設定値１０５２ｃを、“風量を弱くする”に対応する数値に変更する（ステップＳ３０４ｂ）。そして、ルール調整操作手段１０８は、空調機自動制御手段１０４の動作を再開する（ステップＳ３０５）。
【０１６２】
“湿度センサを無効にする”という調整を行う場合、居住者は図１７示す画面の画面左下の下限水滴アイコンの右隣にある、実行調整アイコンをタッチする（ステップＤ６；ＹＥＳ）。上記の例と同様に、操作内容を解析して対象アイコンを、調整画面情報１０６１の入力番号“２”の実行調整アイコンであると特定する（ステップＳ３０１）。
【０１６３】
更に、ルール調整操作手段１０８は、特定したアイコンの該当する調整画面情報１０６１の入力番号“２”の実行調整許可の内容が“許可”となっていることを確認し、この実行調整アイコンの調整が許可されていると判定する（ステップＤ７）。
【０１６４】
この実行調整アイコンは有効／無効の切り替え操作ができるように設定されており、居住者は実行調整アイコンを例えば９０度回転させて“無効”とする操作を行う。そしてルール調整操作手段１０８は、居住者による実行調整アイコンを無効にするという操作に応じて画面上で９０度回転した実行調整アイコンを表示させ、空調機自動制御手段１０４を停止させる（ステップＳ３０２）。
【０１６５】
その後、ルール調整画面メモリ１０６に格納された調整画面情報１０６１の入力番号“２”の実行情報の内容を“無効”に変更する（ステップＳ３０３）。
【０１６６】
ルール調整操作手段１０８は、次に、アイコンの具体的な調整対象が何かを判定する（ステップＤ８）。調整対象アイコンは、実行調整アイコンであることから、ルール調整操作手段１０８は、アイコンの具体的な調整対象を入出力実行情報１０５４と判定する。
【０１６７】
ルール調整操作手段１０８は、次に、自動制御ルールメモリ１０５に記憶された入出力実行情報１０５４の入力番号“２”（入力番号“２”は入出力実行情報１０５４と対応関係にある入出力接続式１０５３から把握することができる）に対応する入力実行情報を“無効”に変更する（ステップＳ３０４ｃ）。そして、ルール調整操作手段１０８は、空調機自動制御手段１０４の動作を再開する（ステップＳ３０５）。以上で、制御ルールの調整処理が終了する。
【０１６８】
以上のように、本実施の形態１によれば、作業者が定義した制御プログラムの制御内容を居住者が容易に調整でき、その調整によって、居住者の好みや日々の環境条件の変化に合わせた空調機制御を実現することができる。
【０１６９】
また、居住者が自動制御ルール調整の操作を行うだけで、ルール調整画面生成手段１０７が自動的に調整画面情報を生成し、ルール調整時には、ルール調整操作手段１０８が、調整画面情報に基づいてルール調整画面を生成し、表示器に表示して居住者に対して提示する。居住者はこの画面上での簡単な操作によりルール調整処理を実施することができ、ルール調整に伴う、居住者の負担を軽減することができる。また、入力判定式、出力設定式、及び入出力接続式を導入することにより、空調機の制御とともに自動制御ルールの調整作業も容易になる。さらに、ルール調整画面に用いるアイコンを、調整の対象となる値の属性だけでなく、その値を用いて実施される判定の内容を示す演算子とあわせて定義することができるため、居住者が判定を含めたルール全体の意味を直感的に把握することが容易なルール調整画面を提供することができる。これによってもルール調整処理に係る居住者の負担を軽減することができる。居住者の調整のみでなく作業者が調整を行うときにも同様の効果を期待できる。
【０１７０】
また、本実施形態では、作業者が居住者によるルールの調整の範囲を制限することができるため、居住者が不用意な変更を行った際に生じる制御上の不具合を防止できる。例えば、ルール調整を、ビル管理者の省エネ方針に沿った範囲内に制限することができる。
【０１７１】
また、自動制御ルールに関連するリモコン装置３０の入力及び出力のそれぞれ一部について、その有効と無効を調整できるため、空調機４０や内部のセンサが故障した場合に、当該センサからの入力実行情報を「無効」とすることにより、迅速にそのセンサに関する自動制御をとめることができる。また、作業者が複数の出力を用意することで、入力が成立した場合の動作を居住者が選択できる機能を提供することができる。
【０１７２】
なお、自動制御ルールメモリ１０５に記憶される制御内容は、制御ルール入力手段１０９により入力され記憶されるとしたが、制御内容はあらかじめ記憶されていてもよい。
【０１７３】
また、調整許可情報入力手段１１０から入力される制御値調整許可情報１０７３及び実行調整許可情報１０７４は、調整を許可する箇所を指定する形にしたが、調整を禁止する箇所を指定する形であってもよい。また、これらの情報は、調整許可情報入力手段１１０から入力されるのではなく、ルール調整画面生成手段１０７により自動的に決定されるとしてもよい。
【０１７４】
また、図７に示した例では、空調情報１０１１の空調情報番号毎にそれぞれ別々の属性を定義しているが、例えば、異なる空調情報番号とした設定温度と室温に対し、温度という同一の属性を付与してもよい。
【０１７５】
また、制御ルール調整処理ステップＳ３の動作において、操作の対象となったアイコンの調整が許可されている場合には、空調機自動制御手段１０４の動作を停止するとしたが、ルール調整操作手段１０８がルール調整の終了を居住者が入力できるインターフェースを有している場合に、ルール調整操作の終了の入力をもって、その後の、対象アイコンの調整が許可されているかどうかの判定、空調機自動制御手段１０４の動作の停止、ルール調整画面メモリ１０６の内容の変更、空調機自動制御手段１０４の動作の再開、の一連の処理を行うとしても良い。
【０１７６】
ルール調整操作の終了の入力を行わない場合は、ルール調整操作手段１０８を介してユーザが操作を行うたびに上記動作の停止、ルール調整画面メモリ１０６の内容の変更、上記動作の再開を行うこととなる。複数箇所についてルール調整する必要がある場合、このように１カ所の調整操作毎に停止、変更、再開がなされるとルール調整途中の不完全なルール状態での制御が実行されてしまうことも起こりうる。ルール調整操作の終了の入力を行うと、ルール調整操作の終了の入力のときだけ上記動作の停止、上記ルールの変更、上記動作の再開が実行されるので、このような事態を避けることができる。
【０１７７】
実施の形態２．
実施の形態１においては、空気調和機制御装置１０は、複数の空調機４０が通信接続されている空気調和システムのネットワーク２０に接続するとしたが、該ネットワーク２０のみではなく、他の外部機器が構成している別のネットワークに同時に接続することもできる。なお、実施の形態１の共通する部分については同様の符号を付して説明を省略する。
【０１７８】
（空気調和機制御装置１０の構成）
図１８は本発明の実施の形態２に係る空気調和機制御装置１０の構成及びその周辺構成の例を示すブロック図である。
【０１７９】
実施の形態２の空気調和機制御装置１０のリモコン装置３０は、空調システムのネットワーク２０に加え、外部機器で構成されているネットワーク８０に接続される。このネットワーク８０はネットワーク２０と共通のネットワークであってもよい。ネットワーク８０に接続される外部機器は、合計１個以上のセンサ６０と機器７０とを含む。ここで、センサ６０は、温度センサや湿度センサである。機器７０とは、加湿器やサーキューレータなどの空調を補助する機能を有する機器である。空調機４０がこれらの機能を備えていない場合には、これらのセンサや機器を活用することは有効である。
【０１８０】
空気調和機制御装置１０は、実施の形態１に係る空気調和機制御装置１０の構成に加え、端末装置５０が、通信処理追加手段１１１と、属性追加手段１１２と、アイコン追加手段１１３と、を備えている。通信処理追加手段１１１、属性追加手段１１２、及び、アイコン追加手段１１３は、ともに作業者が操作するためのインターフェースを備える。
【０１８１】
通信処理追加手段１１１は、外部機器の制御信号を受信し、外部機器に関する空調情報メモリ１０１の内容を変更し、前記空調情報メモリ１０１の内容の変更に基づきネットワーク８０に外部機器に対する制御信号を送信する処理をシステム通信手段１０２に追加する。この処理により、システム通信手段１０２は外部機器通信機能を備えることになり、その意味で外部機器通信手段を有する。
【０１８２】
属性追加手段１１２は、外部機器に関する空調情報メモリ１０１の内容に対する属性定義情報１０７１を追加する。
【０１８３】
アイコン追加手段１１３は、属性追加手段１１２で追加された外部機器に関する属性に対応してアイコン定義情報１０７２を追加する。
【０１８４】
（空気調和機制御装置１０の動作概要）
本実施の形態２に係る空気調和機制御装置１０は、通信処理追加手段１１１、属性追加手段１１２、アイコン追加手段１１３により、外部機器の構成するネットワーク８０に関しても、実施の形態１に係る空気調和機制御装置１０と同様の動作をする。
【０１８５】
例えば、外部機器としてセンサ６０を有し、システム通信手段１０２を介してその出力を制御信号として入力して空調機４０の制御に使う場合は、システム通信手段１０２は、センサ６０からの制御信号を入力し、これに基づき実施の形態１で説明した内容と同様に空調機４０に対して制御信号を送信する。この場合の空調システムは、実施の形態１の空調システムにセンサ６０を追加して構成されるとしてもよい。
【０１８６】
一方、外部機器として加湿器やサーキューレータなどの空調を補助する機能を有する機器７０を備える場合は、システム通信手段１０２は、空調機４０に対してだけでなく、機器７０に対しても制御信号を送信する。空調システムに、空調機４０を補助する機器７０（設備機器）を含めたものを設備機器システムと定義すると、設備機器システムに対しては、実施の形態１で説明した空調機４０に対する制御に加えて機器７０に対する制御も空調機４０の場合と同様にして実行される。設備機器システムにはセンサ６０を含めてもよいし、空調機４０がセンサを装備している場合には含めなくてもよい。
【０１８７】
本実施の形態２によれば、空気調和機制御装置１０は、もともとの空気調和システムに含まれていないセンサ６０や機器７０を空調機４０の制御、又は空調機４０の制御を含む室内環境制御に用いることができ、より柔軟な空調制御を実現することができる。
【０１８８】
また、実施の形態１に係る空気調和システムの空調機４０に含まれているセンサやアクチュエータと同様に、そうした外部機器に対しても、制御ルールの調整用の画面を構成することができ、居住者がこれらの外部機器を含めて制御ルールの調整を容易に行うことができる。また、この画面上で外部機器に関連するアイコンを追加して使用することができるので、外部機器を含めた場合でも調整作業が容易になる。
【０１８９】
上記各実施の形態は、本発明の一例であって、種々の変形や応用が可能である。例えば、上記実施の形態では、ルール調整画面生成手段１０７は、リモコン装置３０が備えると説明したが、端末装置５０がルール調整画面生成手段１０７を備えるようにしてもよい。また、ルール調整画面生成手段１０７が有する属性定義情報１０７１、アイコン定義情報１０７２、制御値調整許可情報１０７３、実行調整許可情報１０７４のうち、少なくとも一部の情報をリモコン装置３０が直接記憶するようにしてもよい。
【０１９０】
これまで、リモコン装置３０による空調機４０の自動制御を行うため、自動制御ルールメモリ１０５には入力判定式１０５１、出力設定式１０５２、入出力接続式１０５３、及び入出力実行情報１０５４が記憶されると説明したが、リモコン装置３０による空調機４０のこれまで説明した内容と同様の趣旨での自動制御を行うことができれば、自動制御ルールメモリ１０５に記憶される形式、内容の分類、はこれまで説明した例に限定されない。
【０１９１】
また、リモコン装置３０により自動制御ルールを調整する際に使用するルール調整画面を生成するために、ルール調整画面生成手段１０７は、属性定義情報１０７１、アイコン定義情報１０７２、制御値調整許可情報１０７３、実行調整許可情報１０７４、を有すると説明したが、リモコン装置３０により同様の趣旨で自動制御ルールを調整する画面を生成できれば、ルール調整画面生成手段１０７が有するこれらの情報の内部構成、及び各情報を合わせた情報全体の構成はこれまで説明した例に限定されない。
【０１９２】
図１３から図１６に示すフローチャートは空気調和機制御装置１０の動作を説明するだけでなく、空気調和機制御方法をも示す。
【０１９３】
空気調和機制御装置１０は、ＣＰＵ、動作プログラムを記憶するＲＯＭ、動作時の一時的な記憶領域となるＲＡＭ、居住者が操作するためのユーザインターフェース、ネットワーク２０や端末装置５０に接続するための通信インターフェース等から構成され、コンピュータシステムと考えることができる。このコンピュータシステムとしての空気調和機制御装置１０は、ROMに記憶されているコンピュータプログラムである動作プログラムを読み出して実行することにより動作する。図１３から図１６に示すフローチャートは、このとき実行される空気調和機制御プログラムの内容をも示す。
【０１９４】
この空気調和機制御プログラムは、コンピュータが読み取り可能な記憶媒体（フレキシブルディスク、ＣＤ−ＲＯＭ、ＤＶＤ−ＲＯＭ等）に格納して配布することができ、当該プログラムをコンピュータにインストールすることにより、前記の処理を実行する空気調和機制御装置１０を構成することができる。また、インターネット等の通信ネットワーク上のサーバ装置が有する記憶装置に当該コンピュータプログラムを格納しておき、通常のコンピュータシステムがダウンロード等することで空気調和機制御装置１０を構成してもよい。
【０１９５】
また、空気調和機制御装置１０の機能を、ＯＳ（オペレーティングシステム）とアプリケーションプログラムの分担、またはＯＳとアプリケーションプログラムとの協働により実現する場合などには、アプリケーションプログラム部分のみを記録媒体や記憶装置に格納してもよい。
【０１９６】
上記実施の形態は、いずれも本発明の趣旨の範囲内で各種の変形が可能である。上記実施の形態は本発明を説明するためのものであり、本発明の範囲を限定することを意図したものではない。本発明の範囲は実施形態よりも添付した請求項によって示される。請求項の範囲内、および発明の請求項と均等の範囲でなされた各種変形は本発明の範囲に含まれる。
【０１９７】
本出願は２００９年９月１７日に出願された、明細書、特許請求の範囲、要約書、及び図を含む日本国特許出願２００９−２１５７２９号に基づくものである。この特許出願の開示内容は参照により全体として本出願に含まれる。 
【産業上の利用可能性】
【０１９８】
本発明の活用例として、空調機を含むビル内設備管理システムが挙げられる。本発明は、作業者がビル毎にカスタマイズした自動制御を提供できるだけでなく、その自動制御ルールの一部を状況に合わせて居住者が調整することができるという効果を有する。これにより、より居住者に適合した負担の少ない空調機制御を、例えば、省エネルギー制御という制約下で実行することができる。
【符号の説明】
【０１９９】
１０  空気調和機制御装置
２０  ネットワーク
３０  リモコン装置
４０  空調機
５０  端末装置
６０  センサ
７０  機器
８０  ネットワーク
１０１  空調情報メモリ
１０２  システム通信手段
１０３  空調機操作手段
１０４  空調機自動制御手段
１０５  自動制御ルールメモリ
１０６  ルール調整画面メモリ
１０７  ルール調整画面生成手段
１０８  ルール調整操作手段
１０９  制御ルール入力手段
１１０  調整許可情報入力手段
１１１  通信処理追加手段
１１２  属性追加手段
１１３  アイコン追加手段
１０１１  空調情報
１０５１  入力判定式
１０５２  出力設定式
１０５３  入出力接続式
１０５４  入出力実行情報
１０６１  調整画面情報
１０７１  属性定義情報
１０７２  アイコン定義情報
１０７３  制御値調整許可情報
１０７４  実行調整許可情報
【図１】
0005404799.tif 000002
【図２】
0005404799.tif 000003
【図３】
0005404799.tif 000004
【図４】
0005404799.tif 000005
【図５】
0005404799.tif 000006
【図６】
0005404799.tif 000007
【図７】
0005404799.tif 000008
【図８】
0005404799.tif 000009
【図９】
0005404799.tif 000010
【図１０】
0005404799.tif 000011
【図１１】
0005404799.tif 000012
【図１２】
0005404799.tif 000013
【図１３】
0005404799.tif 000014
【図１４】
0005404799.tif 000015
【図１５】
0005404799.tif 000016
【図１６】
0005404799.tif 000017
【図１７】
0005404799.tif 000018
【図１８】
0005404799.tif 000019